(57)【要約】【課題】  あらかじめ設定した複数の宛て先から容易に相手を選択して、子供でも容易に通話できる携帯端末を提供する。【解決手段】  あらかじめ設定されている複数の宛て先２１から通話する相手２１Ａを選択すると、機械的表示部２０が相手２１Ａを表示するので、従来よりある携帯端末のように電池を消費する液晶表示部を設けることなく相手を表示できる。このため、電池の消費を大幅に減少させることができるので、使用可能時間を延ばすことができるとともに、携帯端末１０の小型化を図ることができる。【選択図】  図１
2006121305.tif 000002
【特許請求の範囲】
【請求項１】
通話可能な携帯端末であって、
筐体本体と、複数の通話先を記憶する記憶手段と、前記筐体本体の外表面に通話先を表示する機械的表示部と、前記記憶手段に記憶した各通話先データを前記機械的表示部に割り当てる制御手段と、前記筐体本体に対して摺動可能に取り付けられ、前記機械的表示部に表示された通話先を機械的に選択する設定操作部と、を有することを特徴とする携帯端末。
【請求項２】
前記機械的表示部は、絵、文字、数字、記号のいずれかによる表示であることを特徴とする請求項１記載の携帯端末。
【請求項３】
前記機械的表示部は、凹凸を有する表示であることを特徴とする請求項１または２に記載の携帯端末。
【請求項４】
設定操作部は前記筐体本体に対し、回転可能な円形部材であることを特徴とする請求項１から３のいずれかに記載の携帯端末。
【請求項５】
前記設定操作部は前記筐体本体に沿って、スライド可能に設けられた部材であることを特徴とする請求項１から３のいずれかに記載の携帯端末。
【請求項６】
前記設定操作部により選択された通話先に対して、決定および発信を開始する決定ボタンを有することを特徴とする請求項１から５のいずれかに記載の携帯端末。
【請求項７】
前記決定ボタンは、前記設定操作部と一体型であり、押下により決定および発信を開始することを特徴とする請求項６に記載の携帯端末。
【請求項８】
前記決定ボタンは、音孔を有することを特徴とする請求項７記載の携帯端末。
【発明の詳細な説明】
【技術分野】
【０００１】
本発明は、あらかじめ設定した複数の宛て先から相手を選択して通話できる携帯端末に関するものである。
【背景技術】
【０００２】
従来より、通話相手の選択に特徴がある携帯端末として、トランシーバ本体に設けられている受信周波数切換用スイッチに連動するモータを、本体に設けられているチャンネル切換摘子をまわすか、あるいはマイクに設けられているボタンを押すことにより回転させて周波数を切り替えるトランシーバが開示されている（例えば特許文献１参照）。
また、このトランシーバでは、トランシーバ本体に設けられているチャンネル切換摘子を押すことによりモータを回転させて受信周波数を切り替えることができるようになっている。
あるいは、マイクに設けるボタンとして、モータを正転させるボタンと逆転させるボタンとを設けておき、モータを回転させて周波数を選択するようになっている。
【特許文献１】特開昭５２−８２１１０号公報
【発明の開示】
【発明が解決しようとする課題】
【０００３】
ところで、学校への往復時等に、小さな子供に携帯端末を持たせて子供たちの安全を図るような場合には、例えばランドセル等に常時付けておいて携帯端末を無くさないようにするのが望ましい。
また、電池の消耗度を小さな子供に管理させるのは困難であり、長期間充電なしで使用できるのが望ましい。
さらに、子供の安全の観点からは、自由にどこへでも電話できる必要はなく、自分の家等の限られた相手とのみ通話できれば十分である。また、メール等の機能は必要ではないため、液晶等の表示部を設ける必要もない。
【０００４】
本発明は、従来の問題を解決するためになされたもので、あらかじめ設定した複数の宛て先から容易に相手を選択して、子供でも容易に通話できる携帯端末を提供することを目的とする。
【課題を解決するための手段】
【０００５】
本発明の携帯端末は、通話可能な携帯端末であって、筐体本体と、複数の通話先を記憶する記憶手段と、前記筐体本体の外表面に通話先を表示する機械的表示部と、前記記憶手段に記憶した各通話先データを前記機械的表示部に割り当てる制御手段と、前記筐体本体に対して摺動可能に取り付けられ、前記機械的表示部に表示された通話先を機械的に選択する設定操作部と、を有することを特徴とする。
【０００６】
ここで、機械的表示部とは、電気的手段で表示するものではなく、例えばスイッチの回転や往復移動によって矢印で選択した相手を指して表示したり、あるいは、相手を示す絵や記号等を所定の位置（例えば、矢印等）に合わせて選択した相手を表示するような機械的なものを総称している。
【０００７】
この構成により、あらかじめ設定されている複数の宛て先から通話する相手を選択すると、機械的表示部が相手を表示するので、従来よりある携帯端末のように電池を消費する液晶表示部を設けることなく相手を表示できる。
このため、電池の消費を大幅に減少させることができるので、使用可能時間を延ばすことができるとともに、電池を小型化して携帯端末の小型化を図ることができる。
【０００８】
また、本発明にかかる携帯端末は、前記機械的表示部は、絵、文字、数字、記号のいずれかによる表示であることを特徴とする。
この構成により、機能や通話する相手等を直感的に把握できる。
【０００９】
さらに、本発明にかかる携帯端末は、前記機械的表示部は、凹凸を有する表示であることを特徴とする。
【００１０】
この構成により、機械的表示部が、凹凸の表示、例えば相手を示す絵や文字や点字等を有しているので、子供や、目が不自由な人や、あるいは暗闇でも、手で触ることにより相手を認識できる。
【００１１】
そして、本発明にかかる携帯端末は、設定操作部は前記筐体本体に対し、回転可能な円形部材であることを特徴とする。
また、本発明にかかる携帯端末は、前記設定操作部は前記筐体本体に沿って、スライド可能に設けられた部材であることを特徴とする。
【００１２】
これらの構成により、設定操作部を操作することにより、機械的表示部の表示を容易、かつ、正確に選択できる。
【００１３】
さらに、本発明にかかる携帯端末は、前記設定操作部により選択された通話先に対して、決定および発信を開始する決定ボタンを有することを特徴とする。
そして、前記決定ボタンは、前記設定操作部と一体型であり、押下により決定および発信を開始することを特徴とする。
これらの構成により、決定および発信を容易に行える。
【００１４】
また、本発明にかかる携帯端末は、前記決定ボタンは、音孔を有することを特徴とする。
この構成により、着信時、着信音を発する音孔を直感的に操作することにより、素早く決定ボタンを押せる。
【発明の効果】
【００１５】
本発明は、あらかじめ設定した複数の宛て先を機械的表示部により示し、複数の宛て先から相手を選択して通話できるので、子供でも容易に通話できる。また、機械的表示部で相手を表示することにより、電池を消費する液晶表示部を設けることなく相手を表示できるので、電池の消費を大幅に減少させることができ、使用可能時間を延ばすことができるとともに、電池を小型化して携帯端末の小型化を図ることができるという効果を有する携帯端末を提供できるものである。
【発明を実施するための最良の形態】
【００１６】
以下、本発明の実施形態の携帯端末について、図面を用いて説明する。図１（Ａ）は本発明の実施形態に係る携帯端末を示す平面図、図１（Ｂ）は側面図である。
図１において、携帯端末１０は、選択した相手と通話可能な携帯端末であって、あらかじめ設定した複数の宛て先２１から選択した前記相手２１Ａを表示する機械的表示部２０を有している。
【００１７】
さらに詳述すると、この携帯端末１０は、例えば全体円盤状をした筐体本体１１を有しており、円形部材である上本体１１ａと下本体１１ｂとを組み合わせて構成されていて、上本体１１ａと下本体１１ｂとは相対的に回転可能となっている。上本体１１ａには貫通穴２２が設けられており、上本体１１ａの内部には機械的表示部２０が設けられている。
なお、筐体本体１１内には、複数の通話先を記憶する記憶手段と、記憶手段に記憶した各通話先データを機械的表示部に割り当てる制御手段とが収納されている。
【００１８】
機械的表示部２０では、あらかじめ設定されている複数の宛て先２１を示す絵、文字、数字、記号等の図柄が表示されており、所望の相手２１Ａを貫通穴２２の位置に合わせることにより選択する。
ここで、複数の宛て先２１をあらかじめ設定するには、例えばパーソナルコンピュータを用いて携帯端末１０内のメモリに取り込むようにすれば、携帯端末１０自体に入力手段を持つ必要がないので、携帯端末１０の構造を簡単にすることができ、小型化を図ることができる。
機械的表示部２０としては、例えば相手を示す絵、文字、数字、記号等の図柄を、本体１１の内部の機械的表示部２０に貼り付けたり、直接機械的表示部２０に描いたりして平面的に表示できる。これらの図柄の形状は、一般的に用いられているいわゆるユニバーサルデザインを用いるのが望ましい。
【００１９】
ユニバーサルデザインとしては、例えば図２に示すように、受信する際に押す受話２１ａ、受信あるいは発信を待っている通常時２１ｂ、自分の家を示す家２１ｃ、ママ２１ｄ、パパ２１ｅや、設定２１ｆ、例えば緊急時に警察に電話する緊急２１ｇ等の表示がある。
これらの表示に対応して、例えば家２１ｃには自宅の電話番号を記憶させておき、ママ２１ｄには母親の携帯電話の電話番号、パパ２１ｅには父親の携帯電話の電話番号、等をあらかじめ記憶させておく。
【００２０】
上本体１１ａの中央部には、貫通穴２２位置に位置決めして選択した相手２１Ａに決定する決定ボタン２３が設けられており、この決定ボタン２３を押すことにより、選択された相手２１Ａに発信して通話を開始する。
なお、この決定ボタン２３を、相手からの通話を受信する際に押して、通話状態とする開始ボタンを兼ねることもできる。また、本体１１には、呼び出し音を発したり、相手の声を発するスピーカ部１２や、使用者の声を拾うマイク部１３等が設けられている。
さらに、マイク部１３は、スピーカ部１２に対して対角位置に設けるのが望ましい。これにより、ハウリングを防止できる。
【００２１】
スピーカ部１２は、決定ボタン２３の下側に重ねて設けるのが望ましい。一般に、人間の心理として、音がなっている場所を押すことは容易であるため、呼び出し音がスピーカ部１２から発せられた場合に、容易に決定ボタン２３を押して通話できるからである。
また、前述したように、複数の宛て先２１から選択した相手２１Ａに通話する際に、決定ボタン２３を押すと、スピーカ部１２から、例えば「おうちに電話します！」等のメッセージを発するようにするのが便利である。
なお、本体１１には、例えば子供の首に掛けたり、かばんにぶら下げるための紐１４を取り付けておくのが望ましい。また、本実施形態における筐体本体１１は円盤状の形状であり、突起物がないので、落下などの衝撃に強い。
【００２２】
以上のように構成された携帯端末１０について、その動作を説明する。なお、あらかじめ、宛て先２１に対応して電話番号を入力してメモリしておく。また、通話していない通常時には、通常時２１ｂの表示を貫通穴２２に合わせて、穴から通常時２１ｂの表示が見えるようにしておく。
まず、電話する場合には、上本体１１ａを相対的に回して、通話相手２１Ａを上本体１１ａの貫通穴２２位置に合わせて選択し、貫通穴２２を通して通話相手２１Ａを示す。
【００２３】
次いで、上本体１１ａの中央にある決定ボタン２３を押して、相手２１Ａを特定するとともにその相手２１Ａに発信する。このとき、相手２１Ａが誰であるかのメッセージが流れると、容易に確認できる。
そして、相手２１Ａが出ると、マイク部１３に向かって声を発して通話する。通話が完了したら、再度決定ボタン２３を押す。
【００２４】
一方、受信して通話する場合には、スピーカ部１２から呼び出し音が発せられると、決定ボタン２３を押して受信する。
貫通穴２２の位置にどの宛て先２１が位置しているかに関係なく、通話できる状態となるので、マイク部１３に向かって声を発して通話する。通話が完了したら、再度決定ボタン２３を押す。
【００２５】
以上説明したような携帯端末１０によれば、あらかじめ設定した複数の宛て先２１を機械的表示部２０により示し、複数の宛て先２１から相手２１Ａを選択して通話できるので、子供でも容易に通話できる。
また、機械的表示部２０で相手を表示することにより、電池を消費する液晶表示部を設けることなく相手を表示できるので、電池の消費を大幅に減少させることができ、使用可能時間を延ばすことができるとともに、電池を小型化して携帯端末の小型化を図ることができる。
【００２６】
なお、前述した実施形態に係る携帯端末１０では、宛て先２１を機械的表示部２０に平面的に表示するとともに、上本体１１ａに設けられている貫通穴２２で選択する場合について説明したが、図３に示すように、上本体１１ａの表面に宛て先２１を表示するとともに下本体１１ｂに矢印２２ａを設けて、矢印２２ａ位置に相手２１Ａを位置決めして選択するようにしてもよい。
【００２７】
また、図４に示す携帯端末１０Ａのように、宛て先２１を上本体１１ａの表面に凹凸によって表示するようにするとともに矢印２２ａを設けるようにしてもよい。この場合には、目で確認しなくても、手で触って確認できるので、目に障害を有する人でも容易に確認できる。また、暗闇でも容易に確認できる。
さらに、前述した実施形態に係る携帯端末で１０は、上本体１１ａと下本体１１ｂとを相対的に回転させて相手２１Ａを選択したが、図４に示したように、上本体１１ａおよび下本体１１ｂとは別個に回転する選択板１５を設けて、矢印２２ａ等を設けるようにしてもよい。
【００２８】
また、前述した実施形態に係る携帯端末１０では、円盤状の本体１１において、上下本体１１ａ、１１ｂを相対的に回転させることにより相手２１Ａを選択する場合について説明したが、このほか、図５に示す携帯端末１０Ｂのように、矩形状の本体１１Ｂに、スライド式の矢印２２Ｂを設けて、相手２１Ｂを選択するようにしてもよい。
また、この場合でも、スピーカ部１２Ｂと決定ボタン２３Ｂとを重ねた位置に設けるのが望ましい。
【００２９】
さらにまた、機械的表示部２０の各表示２１ａ〜２１ｇをあらかじめ設定された順番、例えば、通常時→家→パパ→ママの順に選択することにより暗証番号（符号）として、本人の認証を行うことも可能である。
また、決まった時間や一定時間間隔で自動的に家２１ｃ等に電話を掛けるようにすると、子供の居場所がわかり、子供の安全を確保できる。
さらに、本体１１に耳等の飾りを付けて、動物の顔の形状とすることにより、子供の関心をひいて、抵抗なく持ち歩くようにすることもできる。
【産業上の利用可能性】
【００３０】
以上のように、本発明に係る携帯端末は、あらかじめ設定した複数の宛て先を機械的表示部により示し、複数の宛て先から相手を選択して通話できるので、子供でも容易に通話できる。
また、機械的表示部で相手を表示することにより、電池を消費する液晶表示部を設けることなく相手を表示できるので、電池の消費を大幅に減少させることができ、使用可能時間を延ばすことができるとともに、携帯端末の小型化を図ることができるという効果を有する携帯端末を提供できるという効果を有し、相手を選択して通話できる携帯端末等として有用である。
【図面の簡単な説明】
【００３１】
【図１】（Ａ）本発明の実施形態に係る携帯端末の平面図、（Ｂ）本発明の別の実施形態に係る携帯端末の側面図である。
【図２】機械的表示部の例を示す説明図である。
【図３】（Ａ）本発明の別の実施形態に係る携帯端末の平面図、（Ｂ）本発明の別の実施形態に係る携帯端末の側面図である。
【図４】別の実施形態に係る携帯端末を示す斜視図である。
【図５】別の実施形態に係る携帯端末を示す斜視図である。
【符号の説明】
【００３２】
１０  携帯端末
２０  機械的表示部
２１  宛て先
２１Ａ  選択した相手
【図１】
2006121305.tif 000003
【図２】
2006121305.tif 000004
【図３】
2006121305.tif 000005
【図４】
2006121305.tif 000006
【図５】
2006121305.tif 000007